(57)【特許請求の範囲】
【請求項１】
可視光及び赤外光を含む照明光により被検眼を照明して該照明光を被検眼眼底に導く照明光導光光学系と、前記照明光を可視光と赤外光との間で切り換える照明切換手段と、被検眼を撮影するための撮影光を被検眼眼底に導く撮影光導光光学系と、前記撮影光により照明された被検眼眼底を撮影するための撮影光学系と、
前記撮影光学系の光路内に挿入され、可視光及び赤外光の両方を反射する性質を有し、かつ、撮影時には光路から瞬時に離脱するとともに撮影終了後直ちに光路に挿入される反射鏡と、
可視光及び赤外光の双方に感度を有するテレビカメラと、前記反射鏡により反射された光束を前記テレビカメラに導くことにより被検眼眼底像を観察するための観察光学系と、
前記観察光学系の光路に挿脱自在に配置され、可視光を反射して赤外光を透過する赤外光透過ミラーと、被検眼の視線を誘導するための内部固視標を前記赤外光透過ミラーを介して被検眼に向けて投影する内部固視標投影光学系とを備え、
前記照明切換手段は、前記赤外光透過ミラーが光路への挿入に連動して前記照明光源は赤外光に切り換えられ、前記赤外透過ミラーが光路からの離脱に連動して前記照明光は可視光に切り換えられ、
前記赤外光透過ミラーが挿入された際には、照明切換手段により照明系は赤外光に切り換えられて照射され、内部固視標を使用することにより無散瞳撮影が行え、
前記赤外光透過ミラーが光路から離脱された際には、照明切換手段により可視光に切り換えられて照射されて可視光による散瞳撮影が行えることを特徴とする眼底カメラ。
【発明の詳細な説明】
【０００１】
【発明の属する技術分野】
本発明は、散瞳撮影と無散瞳撮影とに兼用可能な眼底カメラの改良に関する。
【０００２】
【従来の技術】
従来から、眼底の撮影方法として、散瞳剤を被検眼に点眼して被検眼の縮瞳を防止して被検眼を撮影する散瞳撮影と、散瞳剤を用いずに暗所で被検眼の自然散瞳を待って撮影を行う無散瞳撮影とが知られている。ここで散瞳剤を用いれば、被検眼に可視光を照射しても縮瞳が起こらないので、観察及び撮影の両者を可視光により行うことができるが、無散瞳撮影では、観察中の被検眼の縮瞳を防止するために、観察時には赤外光が使われ、撮影時には可視光が使われている。それ故、この散瞳撮影と無散瞳撮影とでは、散瞳剤の使用、不使用のほかに、無散瞳撮影では、照明光として、可視光と赤外光との波長の異なる照明を必要とする点でも相違する。
【０００３】
昭和５０年前後の無散瞳撮影が普及し始めた当初では、これらの散瞳撮影と無散瞳撮影は、それぞれ、散瞳撮影専用機、無散瞳撮影専用機のような専用機が主流であった。その後、これらの散瞳専用機と無散瞳専用機とを一体化した共用の眼底カメラ（以下、共用眼底カメラということがある。）が提案された（例えば、特開昭５８−８９２３７号公報、実開昭５８−１２８３号公報参照）。これらの共用眼底カメラでは、観察照明用光源の前方に可視カットフィルタ（赤外透過フィルタ）が挿脱可能に配置され、無散瞳撮影における観察時にはこの可視カットフィルタが挿入され、散瞳撮影などのその他の場合には、この可視カットフィルタが離脱されて被検眼に可視光が照射されるように構成されている。
【０００４】
しかし、これらの共用眼底カメラにより無散瞳撮影を行う場合には、赤外光に感度を有するテレビカメラで眼底を観察させる一方、散瞳撮影を行う場合にはテレビカメラとは別個に設けられた可視ファインダにより眼底を観察させる方式を採用している。このような構成を採用したわけは、▲１▼無散瞳撮影の場合には、照明光が赤外光であるため、可視ファインダによる観察ができなかった、▲２▼当時のテレビカメラの解像度が十分でなかったことから、散瞳撮影の場合には可視ファインダによる観察が好まれた、▲３▼赤外光と可視光との両方に感度を有するテレビカメラが高価であった等の理由による。
【０００５】
このように、これらの共用眼底カメラでは、観察装置が撮影の種類に応じて別々に設けられていたため、デバイスの共用化による装置の小型化というメリットを享受できない。また、異なる位置に配置された散瞳用又は無散瞳用のテレビカメラを撮影の種類に応じて検者は覗き込む必要があるため、操作に不慣れなものにとっては、取扱いが煩雑であった。
【０００６】
近年、散瞳撮影と無散瞳撮影とのいずれの場合も同一のテレビモニタで眼底像が観察できるように構成した眼底カメラが提案されている（例えば、特開平９−１０３４０９号公報参照。）。しかしながら、この特開平９−１０３４０９号公報に提案された眼底カメラでは、テレビカメラとして白黒のテレビカメラを使用しているため、散瞳撮影の場合にも白黒の観察画像しか得られないという問題がある。
【０００７】
一方、観察用のテレビカメラとして赤外光と可視光との双方に感度を有するテレビカメラを用い、これにより散瞳撮影と無散瞳撮影とのいずれの撮影の場合も同一のテレビモニタで眼底像が観察でき、しかも散瞳撮影の際にはカラーの眼底像が観察できるようにした眼底カメラも提案されている（例えば、特開平８−６６３７２号公報参照。）。
【０００８】
【発明が解決しようとする課題】
ところで、眼底カメラでは、被検眼の視線を誘導するための固視標を設けるのが普通である。そして、この固視標としては、無散瞳撮影では、内部固視標が一般的に使用され、この内部固視標は撮影光学系の対物レンズを介して装置内部から被検眼に投影される。また、散瞳撮影では、装置外部の、例えば、フレキシブルアームの先端に取り付けられた固視灯（外部固視標）が使用されるのが一般的である。
【０００９】
これは、無散瞳撮影のときに外部固視灯を使用すると、近くを見ること（近方視）により縮瞳を起こす可能性があるため、内部固視標を使用するのが好ましいからであり、また、散瞳撮影の場合には内部固視灯が照明光に打ち消されて見えなくなるため、外部固視標の方が便利であるからである。
【００１０】
しかしながら、特開平８−６６３７２号公報に記載の眼底カメラでは、散瞳撮影、無散瞳撮影のいずれの場合にも外部固視灯を使用する構成とされている。それ故、この眼底カメラでは、近方視による縮瞳を起こす可能性を少なくするため、無散瞳撮影の際には固視灯の光量を下げているが、固視灯が被検眼の眼前にあることには変わりがなく、縮瞳の可能性は十分には低下されていない。
【００１１】
本発明は、これらの問題に鑑みて為されたものであり、散瞳撮影と無散瞳撮影とに共用できる眼底カメラであって、散瞳撮影、無散瞳撮影のいずれの場合にも同一のテレビモニタで眼底像が観察でき、また、散瞳撮影の際には可視光による眼底像が観察できるようにし、しかも、無散瞳撮影の際には内部固視標を使用することにより、近方視による被検眼の縮瞳の可能性をなくすことのできる眼底カメラを提供することを目的とする。
【００１２】
【課題を解決するための手段】
上記目的を達成するために、請求項１に記載の眼底カメラは、被検眼を照明するための照明光を被検眼眼底に導く照明光導光光学系と、前記照明光導光光学系の照明光を可視光と赤外光との間で切り換える照明切換手段と、被検眼を撮影するための撮影光を被検眼眼底に導く撮影光導光光学系と、前記撮影光により照明された被検眼眼底を撮影するための撮影光学系と、前記撮影光学系の光路内に挿入され、可視光及び赤外光の両方を反射する性質を有し、かつ撮影時には光路から瞬時に離脱し撮影終了後直ちに光路に挿入されるようにされた反射鏡と、可視光及び赤外光に感度を有するテレビカメラと、前記反射鏡により反射した光束を前記テレビカメラに導くことにより被検眼眼底像を観察するための観察光学系と、を備えた眼底カメラにおいて、前記観察光学系の光路に挿脱自在に配置され、可視光を反射し赤外光を透過する赤外光透過ミラーと、被検眼の視線を誘導するための内部固視標を該赤外光透過ミラーを介して被検眼に向けて投影する内部固視標投影光学系とを備え、前記赤外光透過ミラーが挿入された際には、照明切換手段により照明系は赤外光に切り換えられて照射され、内部固視標を使用することにより無散瞳撮影が行え、前記赤外光透過ミラーが光路から離脱された際には、照明切換手段により可視光に切り換えられて照射されて可視光による散瞳撮影が行えることを特徴とする。
【００１３】
請求項１に記載の眼底カメラによれば、眼底像は、照明光が可視光か赤外光かにかかわらず、撮影光導光光学系、反射鏡、観察光学系を介してテレビカメラに結像する。したがって、散瞳撮影と無散瞳撮影とのいずれの場合にも同一のテレビカメラにより観察像を撮像することができる。また、テレビカメラとして赤外光及び可視光の双方に感度を有するものを使用しているので、散瞳撮影の際には可視光による眼底像が観察でき、無散瞳撮影の際には赤外光による眼底像の観察ができる。
【００１４】
また、この眼底カメラによれば、可視光を反射して赤外光を透過する赤外光透過ミラーが観察光学系の光路に挿脱自在に配置され、この赤外光透過ミラーを介して内部固視標投影光学系により固視標が投影され、この赤外光透過ミラーの挿脱に連動して照明切換手段が切り換えられる。
【００１５】
赤外光透過ミラーが挿入された際には、照明切換手段により照明系は赤外光に切り換えられて照射され、内部固視標を使用することにより無散瞳撮影が行えるので、無散瞳撮影時に外部固視標を使用する必要がなく、近方視に基づく被検眼の縮瞳をなくすことができる。また、この赤外光透過ミラーが光路から離脱された際には、照明切換手段により可視光に切り換えられて照射されて可視光による散瞳撮影が行え、赤外光透過ミラーが離脱されているので、この赤外光透過ミラーが眼底観察の障害になることない。
【００１６】
【発明の実施の形態１】
以下、本発明の実施の形態１を、一般カラー撮影と可視蛍光撮影とが共に行える眼底カメラについて図面に基づいて説明する。
【００１７】
図１において、符号５０は被検眼Ｅを照明するための照明光を被検眼眼底に導く照明光導光光学系及び被検眼Ｅを撮影するための撮影光を被検眼眼底に導く撮影光導光光学系としての照明系であり、符号５１は観察・撮影光学系である。この観察・撮影光学系５１は、共用光学系５２、観察光学系（観察系）５３、撮影光学系（撮影系）５４から概略構成されている。
【００１８】
照明系５０は凹面鏡５５、ハロゲンランプ（観察用光源）５６、コンデンサレンズ５７、赤外透過フィルタ５８、赤外カットフィルタ９４、環状のキセノンランプ（撮影用光源）５９、リング絞り６０、リレーレンズ６１、黒点板６２、ピント合わせ指標機構６３、リレーレンズ６４を有する。リング絞り６０は被検眼Ｅの瞳孔と略共役であり、黒点板６２は対物レンズ２６５を反射面と考えた場合に開口絞り２６７と略共役である。
【００１９】
リング絞り６０とリレーレンズ６１との間にはエキサイタフィルタ６６を蛍光撮影時に照明光路内に挿入させるエキサイタフィルタ用の挿脱機構６５と、照明光量調節用の光量調節挿脱機構６５’とが設けられている。エキサイタ挿脱機構６５はとダミーフィルタ６７とソレノイド６８とから大略構成され、エキサイタスイッチ６５ＳＷ（図示を略す）の操作により、このエキサイタフィルタ６６とダミーフィルタ６７とは光路中に交互に挿脱される。また、光量調節挿脱機構６５’はＮＤフィルタ６６’とダミーフィルタ６７’とソレノイド６８’とから大略構成されている。
【００２０】
また、赤外透過フィルタ５８及び赤外カットフィルタ９４は、照明系５０の光路に挿脱可能に配置されている。この実施の形態では、赤外透過フィルタ５８はソレノイド５８Ｓ（図示を略す）などにより、また、赤外カットフィルタ９４は、ソレノイド９４Ｓ（図示を略す）などにより移動可能とされ、これらのソレノイド５８Ｓ、９４Ｓは、図９に示すように、制御回路（制御系）１０００に接続され、後述する固視標投影光学系Ｇを構成する赤外光透過ミラーの挿脱に連動されているが、その詳細は後述される。また、これらのソレノイド６８、６８’、５８Ｓ、９４Ｓは、各光学部材を挿脱させる手段であるので、ソレノイドに限定されずに、ステッピングモータなどを用いてもよい。
【００２１】
赤外透過フィルタ５８は無散瞳の観察が可能となるように、観察用光源から縮瞳の原因となる可視光を除去するものであり、例えば、図３に示すように、波長約８３０ｎｍ以上の赤外光のみを透過させる光学部材が用いられる。また、赤外カットフィルタ９４は、可視光による観察を行う際に観察用光源からの不要の赤外光をカットするためのものであり、例えば、波長約７５０ｎｍ以下の可視光のみを透過させる光学部材が用いられる。また、エキサイタフィルタ６６は蛍光撮影時に必要な照明を与えるために照明系に挿入され、例えば、図４に実線で示すように、波長４５０ｎｍから波長５２０ｎｍの撮影光としての照明光及び波長８２０ｎｍ以上の赤外光を透過する光学部材が用いられる。
【００２２】
ピント合わせ指標機構６３は必要により挿入され、例えば、図２に示すように、ランプ１６４、コンデンサレンズ１６５、赤外透過フィルタ１６６、指標１６７、リレーレンズ１６８、ガラス板１６９から大略構成されている。このガラス板１６９はダイクロイックミラー部１６９ａを有し、そのダイクロイックミラー部１６９は可視光を透過し、赤外光を反射する。これらのピント合わせ指標機構６３の詳細は、例えば特公昭６１−９１号公報に開示されており、このピント合わせ機構６３は後述される合焦レンズに連動して光軸方向に移動される。
【００２３】
共用光学系５２は、対物レンズ２６５、穴開きミラー２６６、開口絞り２６７、ハーフミラー２６８、合焦レンズ６９、結像レンズ７０、クイックリターンミラー７１から構成されている。このクイックリターンミラー７１は、可視光及び赤外光の両方を反射する性質を有し、かつ、撮影時には光路から瞬時に離脱し撮影終了後直ちに光路に挿入される。
【００２４】
ハーフミラー２６８と合焦レンズ６９との間にはバリアフィルター９３挿脱用の挿脱機構８６が設けられている。この挿脱機構８６はダミーフィルタ９２とバリアフィルタ９３とから概略構成されている。バリアフィルタ９３は図５に示すように波長５３０ｎｍから６４０ｎｍの光を選択的に透過させる透過特性を有する。
【００２５】
この共用光学系５２にはアライメント光学系７２が設けられている。このアライメント光学系７２は、アライメント光源７３、ライトガイド７４、ミラー７５、２孔絞り７６、リレーレンズ７７を有する。２孔絞り７６は図６に示すように一対の孔部７６ａ、７６ａを有する。アライメント光学系７２は可視光又は赤外光を出射する。この可視光と赤外光との間での切替えは、ミラー７５とライトガイド７４との間の光路に赤外透過フィルタ（図示を略す）を挿脱させることにより行ってもよいし、可視光域の波長の光を発生するアライメント光源７３とは別に赤外光域の波長の光を発生するアライメント光源（図示を略す）を設け、赤外光による観察の場合と可視光による観察の場合とで切り替えるようにしてもよい。
【００２６】
ライトガイド７４に入射された光はその射出端から出射され、その射出端から出射された光はアライメント光としてミラー７５で反射され、孔部７６ａ、７６ａを通ってリレーレンズ７７に導かれ、リレーレンズ７７はライトガイド７４の射出端の像を穴開きミラー２６６の穴部２６６ａの中央位置Ｘに一旦結像する。
【００２７】
この中央位置Ｘに一旦結像された一対のアライメント光は、対物レンズ２６５を介して被検眼Ｅの角膜Ｃに導かれる。ここで、被検眼Ｅから装置本体までのワーキングディスタンスＷ及び被検眼Ｅに対する装置本体の上下左右方向の位置が適正であるときには、一対のアライメント光束によって、角膜曲率中心の２分の１の位置に結像投影される。被検眼Ｅから装置本体までのワーキングディスタンスＷが適正位置からずれているとき、一対のアライメント光束に基づくアライメント像はその角膜Ｃの角膜曲率中心の２分の１の位置を境に分離して投影される。角膜Ｃにより反射されたアライメント反射光束はワーキングディスタンスＷが適正であるときには対物レンズ２６５により眼底Ｅｆと共役位置Ｒに結像される。その位置Ｒに結像されたアライメント反射光束は穴部２６６ａを通り、眼底像を形成する光束と同様に観察光学系５３に導かれる。
【００２８】
観察光学系５３はフィールドレンズ７８、反射ミラー７９、リレーレンズ８０、エリアＣＣＤ８１を有するテレビカメラ８２、メモリを内蔵した処理回路８３、テレビモニタ８４とから大略構成され、テレビカメラ８２には可視域及び赤外域に感度を有するものが用いられている。
【００２９】
この発明においては、観察光学系５３のフィールドレンズ７８と反射ミラー７９との間の光路内に、赤外光を透過して可視光を反射するダイクロイックミラーなどにより構成される赤外光透過ミラー９５を挿脱可能に設けることにより、無散瞳撮影の際に用いられる被検眼の視線方向を一定にする固視標投影光学系Ｇを挿脱可能に設けている。
【００３０】
この固視標投影光学系Ｇは、赤外光透過ミラー９５を観察光学系５３の光路に挿脱自在に設ければ、その詳細は限定されない。この実施の形態１では、図７に示すように、この赤外光透過ミラー９５の反射面９５ａ側に、リレーレンズ９６、左右眼に対応するように左右一対の発光ダイオード（ＬＥＤ）などの固視光源９７、９８、一対のピンホール９７’、９８’が設けられている。
【００３１】
この赤外光透過ミラー９５は、観察光学系５３の光路中に挿入、離脱可能に配設され、ミラースイッチ９５ＳＷ（図示を略す）の操作により、無散瞳撮影の際には光路中に挿入され、散瞳撮影の際には、光路中から離脱される。なお、散瞳撮影の際には、装置外部のフレキシブルアームの先端に取り付けられた固視灯（外部固視標）が使用されるが、その詳細図面は省略されている。
【００３２】
固視光源９７（又は９８）で発光された光束は、絞りとしてのピンホール９７’（９８’）を通過し、リレーレンズ（固視投影レンズ）９６により集光されて赤外光透過ミラー９５に向かう。この赤外光透過ミラー９５が観察光学系５３に挿入されている場合には、この赤外光透過ミラー９５で反射された固視標は７８を介してクイックリターンミラー７１により反射されて、共用光学系５２の各光学系要素を通して眼底共役面Ｒで光軸上にいったん結像されて被検眼Ｅの眼底Ｅｆに投影される。
【００３３】
撮影光学系５４はフィールドレンズ付のプリズム８５、リレーレンズ８７、エリアＣＣＤ８８を有するテレビカメラ８９、メモリを内蔵した処理回路９０、テレビモニター９１からなっている。テレビカメラ８９は図示を略す眼底カメラ本体の第１マウントに取り付けられる。
【００３４】
制御回路１０００は、図９に示すように、ミラースイッチ９５ＳＷ、エキサイタスイッチ６６ＳＷ、ソレノイド５８Ｓ、ソレノイド９４Ｓ、エキサイタ挿脱機構６５及び挿脱機構８６に接続され、それぞれの作用は後述される。なお、制御回路１０００には、各種撮影モードや観察・撮影手段に対応したスイッチ類からその他の入力信号として入力され、この入力信号に連動されてその他の制御機構（他の挿脱機構を含む）により制御されているが、これらの詳細は公知であるので、省略する。
【００３５】
次に、以上により構成された眼底カメラの作用を、カラー撮影と可視蛍光撮影における、無散瞳・散瞳撮影モードに分けて説明するが、この発明はこれに限定されない。
【００３６】
（イ）無散瞳撮影による一般カラー撮影（カラー・無散瞳撮影モード）
無散瞳撮影を行う場合には、検者は、まずミラースイッチ９５ＳＷを操作して赤外光透過ミラー９５を光路に挿入させる。すると、固視標投影光学系Ｇにより眼底Ｅｆに固視標が投影されて被検眼Ｅの視線固定がなされる。このとき、この固視標投影光学系Ｇは内部固視標となる。
【００３７】
この赤外光透過ミラー９５が挿入された状態では、ミラースイッチ９５ＳＷの入力信号に基づき、制御回路１０００が作動され、ソレノイド５８Ｓが駆動され、赤外透過フィルタ５８が照明系５０の光路に挿入され、ソレノイド９４Ｓが駆動され、赤外カットフィルタ９４が照明系５０の光路から退避される。このとき、ダミーフィルタ６７’は光路に挿入されており、また、この撮影は、蛍光撮影ではないので、ダミーフィルタ９２及びダミーフィルタ６７が光路に挿入されている。
【００３８】
赤外光に切り換えられたアライメント光学系７２によりアライメント指標が被検眼Ｅに向けて投影される。ここで、ハロゲンランプ５６が点灯されると、赤外透過フィルタ５８により可視光がカットされ、赤外光のみが赤外透過フィルタ５８を通過し、対物レンズ２６５を介して赤外光が眼底Ｅｆに照射される。被検眼に照射される照明光が赤外光であるので、被検眼の縮瞳はほとんどなく、したがって、散瞳剤による点眼の必要はない。
【００３９】
眼底Ｅｆからの反射光（赤外光）は共用光学系５２を介してクイックリターンミラー７１により反射されて観察光学系５３に導かれる。この観察光学系５３の光路には、固視標投影光学系Ｇを分岐させるための赤外光透過ミラー９５が挿入されているが、観察光は赤外光であるので、この眼底像は、赤外光透過ミラー９５を透過して反射ミラー７９により反射されてテレビカメラ８２に形成される。この形成された眼底像は、エリアセンサ８１により映像信号として処理回路８３を介してテレビモニタ８４に出力される。これにより、テレビモニタ８４に可視像としての眼底像が画面８４ａに表示される。
【００４０】
検者はこの眼底像とアライメント指標像とに基づきアライメント調整を行う。また、図８（Ａ）、（Ｂ）に示すように、テレビカメラ８２にはアライメント像ＡＩが受像され、アライメント像ＡＩは被検眼Ｅから装置本体までのワーキングディスタンスＷが適正位置にあるときには図８（Ａ）に示すように合致して表示され、被検眼Ｅから装置本体までのワーキングディスタンスＷが適正位置にないときには図８（Ｂ）に示すように分離して表示され、検者はこのアライメント像ＡＩの分離・非分離を見ながら被検眼Ｅに対する装置本体のアライメントを行うことができる。
【００４１】
更に、画面８４ａには、ピント合わせ指標機構６３に基づく指標像６７’’が表示される。ダイクロイックミラー部１６９ａの反射領域内では赤外光の透過がカットされるので、この指標像６７’’が形成された以外の領域１６９ａ’は暗部となり、指標像６７’’が浮き上がって見えることになるので、この指標像６７’’を見ながらピント調整できる。
【００４２】
アライメント調整、ピント合わせ終了後、図示を略す撮影スイッチを押すと、その撮影スイッチの操作に同期してダミーフィルタ６７’の代わりにＮＤフィルタ６６’が照明系５０の光路に挿入されるとともに、キセノン管５９が発光される。また、撮影スイッチの操作に同期して共用光学系５２のクイックリターンミラー７１が跳ね上がり、眼底Ｅｆからの反射光が撮影光学系５４に導かれて、眼底像がテレビカメラ８９に結像される。このテレビカメラ８９に結像された眼底像はテレビモニタ９１に表示されるとともに記録される。これにより、カラー撮影が行える。
【００４３】
（ロ）散瞳撮影による一般カラー撮影（カラー・散瞳撮影モード）
散瞳撮影を行う場合には、検者は、まずミラースイッチ９５ＳＷを操作して赤外光透過ミラー９５を光路から離脱させる。この状態では、固視標投影光学系Ｇによる内部固視標が使用されないので、外部固視灯（図示を略す）が点灯されて被検眼Ｅの外部固視標による視線固定がされる。この外部固視灯の点灯はミラースイッチ９５ＳＷの操作に連動されていてもよい。
【００４４】
この赤外光透過ミラー９５が離脱された状態では、ミラースイッチ９５ＳＷの入力信号に基づき、制御回路１０００が作動され、５８Ｓ、９４Ｓが駆動される。これにより、赤外透過フィルタ５８が照明系５０の光路から離脱され、赤外カットフィルタ９４が照明系５０の光路に挿入される。このとき、ダミーフィルタ６７’は照明系５０の光路に挿入されており、また、この撮影は、蛍光撮影ではないので、ダミーフィルタ９２及びダミーフィルタ６７が光路に挿入されている。これにより散瞳撮影方式によるカラー眼底像の観察・撮影が可能な状態となる。
【００４５】
可視光に切り換えられたアライメント光学系７２によりアライメント指標を被検眼Ｅに向けて投影される。ここで、ハロゲンランプ５６が点灯されると、赤外カットフィルタ９４により赤外光がカットされ、可視光のみが赤外カットフィルタ９４を通過し、対物レンズ２６５を介して可視光が眼底Ｅｆに照射される。被検眼に照射される照明光が可視光であるので、被検眼の縮瞳を避ける意味で散瞳剤を点眼する必要がある。
【００４６】
眼底Ｅｆからの反射光は共用光学系５２、観察光学系５３を介して無散瞳撮影と同様にしてテレビカメラ８２に導かれる。このとき、赤外光透過ミラー９５が観察光学系５３から離脱されているので、可視光による光路の支障がなく、また、このテレビカメラ８２は可視にも感応するので可視光による観察が可能となる。したがって、検者は、テレビモニタ８４により、被検眼Ｅの眼底Ｅｆとアライメント指標とを観察できる。なお、この場合には、ピント合わせ指標光学系６３を用いてのピント合わせを行うことはできない。検者はその眼底とアライメント指標とに基づきアライメント調整を行う。
【００４７】
アライメント調整、ピント合わせ終了後、撮影スイッチを押すと、撮影スイッチの操作に同期してダミーフィルタ６７’の代わりにＮＤフィルタ６６’が照明系５０の光路に挿入されるとともに、キセノン管５９が発光される。また、撮影スイッチの操作に同期して共用光学系５２のクイックリターンミラー７１が跳ね上がり、眼底Ｅｆからの反射光が撮影光学系５４に導かれて、眼底像がテレビカメラ８９に結像される。このテレビカメラ８９に結像された眼底像はテレビモニタ９１に表示されるとともに記録される。これにより、散瞳状態にある被検眼Ｅの可視光による観察及びカラー撮影が行える。
【００４８】
なお、この実施例では、テレビカメラ８９により眼底像を撮影するようにしているが、図示を略す第２マウントに取り付けた３５ｍｍフィルムカメラ等により眼底像を撮影することもできる。
【００４９】
（ハ）赤外観察による可視蛍光撮影（赤外観察・蛍光撮影モード）
次に、赤外光を観察光として使用し可視蛍光撮影を行う場合の動作について説明する。この場合、観察光として赤外光を使用するために、被検眼に散瞳剤を点眼する必要がない。また、撮影前には蛍光剤が被検者に注射され、蛍光眼底像による撮影が行われるが、観察の段階では白黒の眼底像しか見ることができない。
【００５０】
この撮影を行う場合、検者は、まずミラースイッチ９５ＳＷを操作して、赤外光透過ミラー９５を観察光学系５３の光路に挿入させる。すると、固視標投影光学系Ｇにより眼底Ｅｆに固視標が投影されて被検眼Ｅの視線固定がなされる。このとき、この固視標投影光学系Ｇは内部固視標となる。
【００５１】
制御回路１０００は、このミラースイッチ９５ＳＷの入力信号に基づき、ソレノイド５８Ｓ、９４Ｓに制御信号を送り、赤外透過フィルタ５８を照明系５０の光路に挿入させるとともに、赤外カットフィルタ９４を照明系５０の光路から退避させる。
【００５２】
また、検者はエキサイタスイッチ６６ＳＷを操作して、エキサイタフィルタ６６を照明系５０の光路に挿入させ、ダミーフィルタ６７を光路から離脱させる。
【００５３】
以上のようにして、ミラースイッチ９５ＳＷの操作に基づき赤外透過フィルタ５８が挿入され、かつ、エキサイタスイッチ６６ＳＷの操作に基づきエキサイタフィルタ６６が挿入された場合に、制御回路１０００は、選択された撮影モードが赤外観察・蛍光撮影モードであると判断し、以下の▲１▼、▲２▼、▲３▼の制御を行う。
【００５４】
▲１▼  光量調節挿脱機構６５’に信号を送り、ダミーフィルタ６７’を照明系の光路に挿入させ、ＮＤフィルタ６６’を退避させる。
【００５５】
▲２▼  挿脱機構８６に制御信号を送り、バリアフィルタ９３を共用光学系５２の光路から離脱させ、ダミーフィルタ９２を挿入する。
【００５６】
▲３▼  アライメント光学系７２のアライメント光束を赤外光に切り替える。
【００５７】
以上の設定が終了した後、可視蛍光剤を被検者の静脈に注射し、眼底に蛍光剤が流れ込んでくるのを待ってハロゲンランプ５６を点灯させ、観察を開始する。
【００５８】
アライメント光学系７２により赤外光のアライメント指標が被検眼Ｅに向けて投影される。ハロゲンランプ５６からの光のうち、可視光成分は赤外透過フィルタ５８によりカットされるので、赤外光のみがエキサイタフィルタ６６に導かれる。このエキサイタフィルタ６６では、前述の通り、赤外光を透過する特性を有するので、照明光はそのままエキサイタフィルタ６６を透過し、眼底に達する。
【００５９】
この照明光の眼底反射光が、共用光学系５２を介してクイックリターンミラー７１に導かれる。次いで、クイックリターンミラー７１で反射されて観察光学系５３を介してテレビカメラ８２に導かれ、テレビモニタ８４において白黒の眼底像を観察可能とする。検者はその蛍光像及びアライメント指標像をテレビモニタ８４で観察し、一般撮影と同様にしてアライメント調整、ピント合わせを行う。
【００６０】
これらの作業終了後、撮影スイッチを押すと、撮影スイッチの操作に同期してバリアフィルタ９３は共用光学系５２の光路に挿入され、クイックリターンミラー７１が跳ね上がる。また、これと同期してキセノンランプ５９が発光する。その照明光束はエキサイタフィルタ６６を通過して励起光となり、穴開きミラー２６６、対物レンズ２６５を経由して眼底に到達し、眼底により反射された励起光及び可視蛍光は共用光学系５２のバリアフィルタ９３に導かれ、可視蛍光のみがバリアフィルタ９３を通過する。バリアフィルタ９３を通過した可視蛍光は撮影光学系５４のテレビカメラ８９に導かれ、テレビカメラ８９に可視蛍光像が形成される。この可視蛍光像はテレビモニタ９１にレビューされるとともに記録される。
【００６１】
（ニ）可視観察による可視蛍光撮影（可視観察・蛍光撮影モード）
可視光を観察光として使用する可視蛍光撮影を行う場合には、検者は、まずミラースイッチ９５ＳＷを操作して、赤外光透過ミラー９５を光路から離脱させ、固視標投影光学系Ｇを観察光学系５３から離脱させる。外部固視灯（図示を略す）を点灯して被検眼Ｅの外部固視標による視線固定をする。
【００６２】
制御回路１０００は、このミラースイッチ９５ＳＷの入力信号に基づき、ソレノイド５８Ｓ、９４Ｓに制御信号を送る。これにより、赤外透過フィルタ５８が照明系５０の光路から退避されるとともに、赤外カットフィルタ９４が照明系の光路に挿入される。
【００６３】
また、検者はエキサイタスイッチ６６ＳＷを操作して、エキサイタフィルタ６６を照明系５０の光路に挿入させ、ダミーフィルタ６７を光路から離脱させる。
【００６４】
以上のようにして、ミラースイッチ９５ＳＷの操作に基づき赤外カットフィルタが挿入され、かつ、エキサイタスイッチ６６ＳＷの操作に基づきエキサイタフィルタ６６が挿入された場合に、制御回路１０００は、選択された撮影モードが可視観察・蛍光撮影モードであると判断し、以下の▲１▼、▲２▼、▲３▼の制御を行う。
【００６５】
▲１▼  光量調節挿脱機構６５’に信号を送り、ダミーフィルタ６７’を照明系の光路に挿入させ、ＮＤフィルタ６６’を退避させる。
【００６６】
▲２▼  挿脱機構８６に制御信号を送り、バリアフィルタ９３を共用光学系５２の光路に挿入させ、ダミーフィルタ９２を退避させる。
【００６７】
▲３▼  アライメント光学系７２のアライメント光束を可視光に切り替える。
【００６８】
以上の設定が終了した後、可視蛍光剤を被検者の静脈に注射し、眼底に蛍光剤に流れ込んでくるのを待ってハロゲンランプ５６を点灯させ、観察を開始する。
【００６９】
アライメント光学系７２により可視光のアライメント指標が被検眼Ｅに向けて投影される。ハロゲンランプ５６からの光のうち、赤外光成分は赤外カットフィルタ９４によりカットされるので、可視光のみがエキサイタフィルタ６６に導かれる。このエキサイタフィルタ６６では、透過された可視光中で波長４５０ｎｍ〜５２０ｎｍの光を選択透過させる。この選択透過光が、眼底励起光として眼底に導かれる。
【００７０】
バリアフィルタ９３では、蛍光剤による蛍光のみが透過され、眼底励起光の角膜反射光はカットされる。蛍光はバリアフィルタ９３を通過後、クイックリターンミラー７１で反射されて観察光学系５３を介してテレビカメラ８２に導かれ、テレビモニタ８４において眼底蛍光像を観察可能とする。検者はその蛍光像及びアライメント指標像をテレビモニタ８４で観察し、アライメント調整、ピント合わせを行う。
【００７１】
これらの作業終了後、撮影スイッチを押すと、撮影スイッチの操作に同期してキセノンランプ５９が発光する。その際、エキサイタフィルタ６６は照明系５０の光路に、バリアフィルタ９３は共用光学系５２の光路に挿入されたままである。エキサイタフィルタ６６を通過した励起光は穴開きミラー２６６、対物レンズ２６５を経由して眼底に到達し、蛍光剤を励起する。眼底により反射された励起光及び可視蛍光は共用光学系５２のバリアフィルタ９３に導かれ、可視蛍光のみがバリアフィルタ９３を通過する。バリアフィルタ９３を通過した可視蛍光はクイックリターンミラー７１が跳ね上げられているので撮影光学系５４のテレビカメラ８９に導かれ、テレビカメラ８９に可視蛍光像が形成される。この可視蛍光像はテレビモニタ９１にレビューされるとともに記録される。
【００７２】
以下に、各フィルタ、各ミラーの挿入・離脱条件を表１として整理して記載する。
【００７３】
【表１】
0004138133.tif 000002
【００７４】
この実施の形態１では、挿脱機構８６をハーフミラー２６８と合焦レンズ６９との間に設ける構成としたが、撮影光学系５４のリレーレンズ８７とプリズム８５との間に設ける構成とすれば、観察の際にはいずれの撮影モードであってもバリアフィルタ９３を撮影光学系５４の光路に挿入したままとすることができる。この場合のバリアフィルターはバリアフィルタとして機能される。
（変形例１）
実施の形態１において、赤外観察・可視蛍光撮影モードが設定されている場合であっても、赤外光透過ミラー９５は脱着することにより、後述するいつでも可視観察・可視蛍光撮影モードに変更させることができる。
【００７５】
これにより、蛍光の出始めの時期（具体的には、蛍光剤の注入から２０秒くらいまで）だけは可視光により、撮影後のレビュー像だけでなく、観察の段階から蛍光画像を見ることができる。そして、蛍光剤が動脈から静脈に環流した後は、赤外光透過ミラー９５を再び光路内に挿入させ、赤外観察・可視蛍光撮影モードに設定し直す。これにより、被検者の負担を少しでも和らげることができる。
（変形例２）
また、赤外観察・可視蛍光撮影モードが設定されている場合、例えば、次のように設定されていてもよい。赤外透過ミラー９５が脱着された場合には、赤外透過フィルタ５８が退避されて、赤外カットフィルタ９４が光路に挿入され、いつでも可視観察が可能に変更され、赤外光透過ミラー９５が挿入された場合には、赤外透過フィルタ５８が挿入されて、赤外カットフィルタ９４が光路から脱着されいつでも赤外観察が可能に変更される。
【００７６】
これにより、蛍光の出始めの時期だけは可視光により観察を行いながら、撮影開始後は、赤外観察・蛍光撮影モードへ変更させる。観察の段階から蛍光画像を見ることができ、蛍光剤が動脈から静脈に環流した後は、赤外光透過ミラー９５を再び光路内に挿入させ、赤外観察・可視蛍光撮影モードに設定し直す。これにより、被検者の負担を少しでも和らげることができる。
【００７７】
なお、この撮影モードにより一時的に可視観察を行う際には、外部固視灯の点灯により被検眼Ｅの視線を誘導してもよい。この場合、この外部固視灯の光量を減少調整させたり、また、観察用光源の光量を調整したり、ＮＤフィルタを挿入するなどして被検眼Ｅへ向けて照明する光量を調節してもよい。
【００７８】
【発明の実施の形態２】
図１０は、発明の実施の形態２を示すものであり、実施の形態１と同一の構成には同一の符号を付してその詳細な説明は省略する。
【００７９】
この実施の形態２では、実施の形態１の挿脱機構８６の位置を撮影光学系５４のフィールドレンズ付のプリズム８５とリレーレンズ８７の間に挿脱機構８６を配設するとともに、観察光学系５３の反射ミラー７９と赤外光透過ミラー９５との間に蛍光及び赤外光の双方を透過する観察用のバリアーフィルタ９９を配設している。
【００８０】
この観察用バリアーフィルタ９９は、例えば、図１１に示すように波長５００ｎｍ以上の光を透過させる特性を有する市販の吸収フィルタ（例えば、ＨＯＹＡのＹ−５２）が用いられている。この観察用バリアフィルタ９９は、図１１に示すように、エキサイタフィルタ６６を通過する励起光源はほとんどカットされるが、この励起光が眼底Ｅfに照射されて生じる蛍光は透過できる性質を有する。一方、バリアフィルタ９３は撮影光学系に配置されて撮影用に専用されている。
【００８１】
各撮影モードに対する各フィルタ、各ミラーの挿入・離脱条件は、実施の形態１と同一である。
【００８２】
可視光による観察を行う際には、この観察用バリアフィルタ９９を脱着して光路長さの同一なダミーフィルターを代わりに挿入する構成にすればよい。
【００８３】
以上の構成による眼底カメラによれば、実施の形態１において可視観察・可視蛍光撮影モードが設定されている場合、観察光学系５３に蛍光を選択的に透過させる観察用バリアフィルタ９９が挿入される構成をとることができるので、蛍光の出始めの時期を逃すことなく、かつ、被検眼の移動やピントずれを補正することができる。これにより、蛍光撮影の円滑化を図ることができ、被検者に対する負担を軽減できる。
【００８４】
一般に、蛍光フィルタ（エキサイタフィルタ６６やバリアフィルタ９３など）は多層膜を蒸着したバンドパスフィルタが用いられている。そして、蛍光を効率よく波長５２０ｎｍの光を分離するために、透過から不透過への立ち上がりは急である必要がある。一方、この実施の形態２のように、励起用光源の波長と蛍光波長との間には通常、開きが有るので、観察用バリアフィルターとしての立ち上がりが急である必要がないので、廉価な市販の吸収フィルタを適当な厚さに加工して使用することができる。
【００８５】
その他の構成及び作用は実施の形態１と同一であるので、詳細な説明は省略する。
【００８６】
以上、この発明の実施の形態を図面により詳述してきたが、具体的な構成はこの実施の形態に限らず、この発明の要旨を逸脱しない範囲の設計の変更等があってもこの発明に含まれる。
【００８７】
例えば、以上の実施の形態では、一般カラー撮影と可視蛍光撮影とが共に行える眼底カメラに基づいて説明したが、これらは、カラー撮影と可視蛍光撮影とがそれぞれ、別個に独立して構成された眼底カメラであってもよい。また、赤外蛍光撮影が可能な眼底カメラ、その他の眼底カメラへの応用もできる。
【００８８】
また、赤外観察は、無散瞳を前提にして説明したが、散瞳剤を用いた撮影であってもよい。
【００８９】
【発明の効果】
本発明に係わる眼底カメラは、以上説明したように構成したので、散瞳撮影と無散瞳撮影とに共用できる眼底カメラであって、散瞳撮影、無散瞳撮影のいずれの場合にも同一のテレビモニタで眼底像が観察でき、また、散瞳撮影の際には可視光による眼底像が観察できるようにし、しかも、無散瞳撮影の際には内部固視標を使用することにより、近方視による被検眼の縮瞳の可能性をなくすことができる。
【図面の簡単な説明】
【図１】  本発明の実施の形態１の眼底カメラの全体構成を示す光学図である。
【図２】  ピント合わせ指標機構を構成を示す光学図である。
【図３】  赤外透過フィルタ５８の透過特性図である。
【図４】  エキサイタフィルタ６６の透過特性図である。
【図５】  バリアフィルタ９３の透過特性図である。
【図６】  ２孔絞りの平面図である。
【図７】  固指標投影光学系Ｇの光学図である。
【図８】  モニタ装置の画面に表示された観察時の眼底画像を示す、（Ａ）は被検眼に対して装置本体が適正作動距離にある状態を示し、（Ｂ）は被検眼に対して装置本体が適正作動距離にない状態を示す。
【図９】  制御回路のブロック図である。
【図１０】  本発明の実施の形態２の眼底カメラの全体構成を示す光学図である。
【図１１】  エキサイタフィルタ６６、バリアフィルタ９３、観察用バリアフィルタ９９の透過特性比較図である。
【符号の説明】
Ｅ      被検眼
Ｅｆ    眼底
Ｇ      固指標投影光学系
５０    照明系
５１    観察・撮影光学系
５２    共用光学系
５３    観察光学系
５４    撮影光学系
６６    エキサイタフィルタ
７１    クイックリターンミラー（反射鏡）
８６    挿脱機構
９２    ダミーフィルタ
９３    バリアフィルタ
９４    赤外カットフィルタ
９５    赤外光透過ミラー
９９    観察用バリアフィルタ
１０００  制御回路
【図１】
0004138133.tif 000003
【図２】
0004138133.tif 000004
【図３】
0004138133.tif 000005
【図４】
0004138133.tif 000006
【図５】
0004138133.tif 000007
【図６】
0004138133.tif 000008
【図７】
0004138133.tif 000009
【図８】
0004138133.tif 000010
【図９】
0004138133.tif 000011
【図１０】
0004138133.tif 000012
【図１１】
0004138133.tif 000013